(57)【要約】【課題】  本発明の目的は、リラックスした状態で手指をマッサージでき、且つ装置のコンパクト化が可能な椅子式マッサージ機を提供することである。【解決手段】  左右のアームレスト５０の上面の前方寄りに、夫々アームレスト５０を左右に横切るように、下方に向かう凹部５１を形成し、この凹部５１内の前後の壁面には、凹部に挿入した手指を前後方向から押圧する膨張、収縮する前後一対のエアバッグ５３、５３を設ける。【効果】  アームレストに前腕を置き、手指を下向きの凹部５１に挿入する姿勢はリラックスした自然に近い状態となるので、リラックスした状態で手指をエアバッグ５３によりマッサージすることができ、マッサージ効果が上がる。【選択図】    図２
2008206631.tif 000002
【特許請求の範囲】
【請求項１】
被施療者の腰掛ける座部と、該座部の後端側に配置され被施療者の背中が当たる背凭れ部と、座部の左右両側より立設され被施療者の前腕を置くアームレストとを具え、アームレストの上面に下方に向かって被施療者の手指が挿入できる凹部を形成し、該凹部の内壁面に、凹部に挿入した手指を前後方向より押圧する押圧手段を配設してなる椅子式マッサージ機。
【請求項２】
前記押圧手段は、膨張・収縮するエアバッグから構成した請求項１に記載の椅子式マッサージ機。
【請求項３】
前記凹部は、アームレストを左右に横切るように形成し、該凹部の内壁面の前後少なくとも一方に、エアバッグを配設した請求項２に記載の椅子式マッサージ機。
【発明の詳細な説明】
【技術分野】
【０００１】
本発明は、被施療者の腰掛ける座部と、座部の後端側に配置され被施療者の背中が当たる背凭れ部と、座部の左右両側より立設され被施療者の前腕を置くアームレストとを具えた椅子式マッサージ機で、被施療者の手指のマッサージを可能にしたものに関する。
【背景技術】
【０００２】
従来、被施療者の手指をマッサージできるものとして、特許文献１に記載のように、被施療者の前腕を置くアームレストの上面適所に、人体の手指を含む前腕を出入自在に収納し得るよう袋状の収納体を設け、この収納体に、圧縮空気給排装置により膨張収縮するエアバッグを設け、このエアバッグにより収納体に挿入した手指を含む前腕をマッサージできるようにしたものが知られている。
【０００３】
また特許文献２に記載のように、アームレストの上方に間隔を隔てて壁を設け、アームレストの上面と壁の下面に夫々エアバッグを設け、アームレストと壁との間に手指を含む前腕を挿入して、エアバッグで手指を含む前腕をマッサージするものも知られている。
【特許文献１】特開平１０−２４３８９１号公報
【特許文献２】特開２００５−３４９１３０号公報
【発明の開示】
【発明が解決しようとする課題】
【０００４】
特許文献１のマッサージ機では、収納体に手指を含む前腕を挿入すると、前腕から指先がアームレストに沿って伸びた状態となり、自然でリラックスした状態ではない。又、袋状の収納体に手指を含む前腕挿入しなければならないので、使い難い。
【０００５】
特許文献２のマッサージ機も、アームレストと壁との間に手指を含む前腕を挿入すると、前腕から指先がアームレストに沿って伸びた状態となり、自然でリラックスした状態ではなく、また装置が大掛かりになる。
【０００６】
本発明の目的は、リラックスした状態で手指をマッサージでき、且つ装置のコンパクト化が可能な椅子式マッサージ機を提供することである。
【課題を解決するための手段】
【０００７】
上記課題を解決するために本発明は、被施療者の腰掛ける座部と、座部の後端側に配置され被施療者の背中が当たる背凭れ部と、座部の左右両側より立設され被施療者の前腕を置くアームレストとを具え、アームレストの上面に下方に向かって被施療者の手指が挿入できる凹部を形成し、該凹部の内壁面に、凹部に挿入した手指を前後方向より押圧する押圧手段を配設したものである。
【０００８】
具体的には、押圧手段として、膨張・収縮するエアバッグを例示できる。また  凹部は、アームレストを左右に横切るように形成し、この凹部の内壁面の前後少なくとも一方に、エアバッグを配設する。
【発明の効果】
【０００９】
アームレストに前腕を置いたときのように、前腕がほぼ水平状態であると、人体の手先（手指）はリラックスした自然な状態では、前腕に対し下向きに軽く曲がる。従ってアームレストに前腕を置き、手先を下向きの凹部に挿入する姿勢はリラックスした自然に近い状態となり、この状態で手指を押圧手段により前後方向に押圧するので、リラックスした状態で手指をマッサージすることができる。
【００１０】
又凹部の内壁面にエアバッグ等の押圧手段を配備するので、アームレスト上に手指をマッサージする手段が突出することはなく、見映えがよくコンパクト化が可能になる。またマッサージする際は、手指を下向きの凹部に挿入するだけでよく、またマッサージが終了すれば、凹部より簡単に手指を抜くことができ、使い易い。また椅子から立ち上がる場合、凹部に手指を入れたまま立ち上がれば、踏ん張りが利き、容易に立ち上がることもできる。
【発明を実施するための最良の形態】
【００１１】
以下、本発明の椅子式マッサージ機を図に基づき説明する。なお、以下の説明において、椅子に座った人から見てお腹側を前方、背中側を後方という。図１は椅子式マッサージ機の斜め前方から見た斜視図で、マッサージ機１０は、被施療者の腰掛ける座部２０と、座部２０の後端側において起倒自在で任意の角度で位置決め可能に取り付けられた背凭れ部３０と、座部２０の前端側において揺動自在で任意の角度で位置決め可能に取り付けられたフットレスト４０と、座部２０の左右両側に立設されたアームレスト５０を具える。
【００１２】
背凭れ部３０内には、左右一対の施療子により叩きや揉みを行なう周知のマッサージ手段（図示せず）が、背凭れ部に沿って昇降自在に設けられている。フットレスト４０は、前方及び上方が開放された左右一対の凹状受部４１が形成され、凹状受部４１の底面や側面には、圧縮空気の供給、排出により膨張、収縮するエアバッグ（図示せず）が配備されて、凹状受部４１に挿入したふくらはぎと足先の側面や裏面を押圧してマッサージを施すようになっている。
【００１３】
而して、左右アームレスト５０の上面の前方寄りには、夫々アームレスト５０を左右に横切るように、下方に向かう凹部５１が形成されている。この凹部５１は、アームレスト５０に前腕を置いた際、手先である手指が挿入できるようになっている。この凹部５１内の前後の壁面には、凹部５１に挿入した手指を前後方向から押圧する押圧手段５２が配備されている。押圧手段５２としては、圧縮空気の供給、排出により膨張、収縮する前後一対のエアバッグ５３、５３が用いられている。
【００１４】
図３は凹部５１の拡大断面図で、凹部５１内の前後内壁に沿ってエアバッグ５３、５３が配備され、各エアバッグ５３は、配管５４を介して座部２０の下方の適所に配置されたエアポンプ（図示せず）に接続される。各配管５４中には、図示しない電磁弁が介在され、電磁弁の操作により、エアポンプからの圧縮空気をエアバッグ５３へ供給したり、エアバッグ５３内の空気を排気する。前後のエアバッグ５３、５３は夫々独立して膨張、収縮できる。エアバッグ５３は、布製のカバー５５により覆われている。なお、エアポンプからの圧縮空気は、フットレスト４０に設けたエアバッグにも供給される。
【００１５】
そこで手指をマッサージする場合、図２乃至図４のように、アームレスト５０上に前腕を置き、手指Ｆを凹部５１内に挿入して、エアバッグ５３を膨張、収縮させることにより、手指を前後方向から押圧したり、押圧を解除してマッサージすることができる。図３はエアバッグ５３が収縮した状態、図４は膨張した状態を夫々示す。
【００１６】
ここで、アームレスト５０に前腕を置いたときのように、前腕がほぼ水平状態であると、人体の手先（手指）はリラックスした自然な状態では、前腕に対し下向きに軽く曲がる。従ってアームレストに前腕を置き、手指を下向きの凹部５１内に挿入する姿勢はリラックスした自然に近い状態となるので、リラックスした状態で手指をエアバッグ５３によりマッサージすることができ、マッサージ効果が上がる。
【００１７】
またマッサージする際は、手指を下向きの凹部５１に挿入するだけでよく、またマッサージが終了すれば、凹部５１より簡単に手指を抜くことができ、使い易い。さらに、椅子から立ち上がる場合、凹部５１に手指を入れたまま立ち上がれば、踏ん張りが利き、容易に立ち上がることもできる。
【００１８】
又凹部５１の前後の壁面に押圧手段であるエアバッグ５３を配備しているので、アームレスト５０上に手指を押圧する手段が突出することはなく、見映えもよく、コンパクト化が可能になる。
【００１９】
エアバッグ５３は、上記のように前後で独立して膨張収縮できるようにようにしてもよいが、前後のエアバッグ５３、５３をその下部で連通して、同時に膨張、収縮できるようにしてもよい。この場合、エアバッグは、連通した下部を、凹部５１の底面に取り付けることにより、エアバッグを凹部５１の前後壁面に沿って配備することができる。
【００２０】
以上の実施例では、手指を押圧するのにエアバッグ５３を用いたが、手指を押圧する手段としてはエアバッグに限定されることはない。例えば、凹部５１の下方にモータにより回転される前後に延びる駆動軸を設け、駆動軸に前後に間隔をおいて、軸心に対して互いに反対方向に傾斜した一対の揺動板を装着し、駆動軸の回転により一対の揺動板の間隔を狭めたり広げたりし、この揺動板を凹部の前後の側面より凹部内に臨ましめ、一対の揺動板にて手指を前後方向より押圧マッサージすることもできる。
【００２１】
また、背凭れ部３０内には、上記のように、一対の施療子により叩きや揉みを行なう周知のマッサージ手段を背凭れ部に沿って昇降自在に設ける他に、図５に示すように、モータ６１により回転される駆動筒６２の外周に、スパイラル状に突部６３を形成した施療子６０用いてもよい。図１の破線及び図６は、施療子６０を左右の腰に相当する部分に縦向きに配置した例を示し、スパイラルの向きを左右で互いに逆方向にしている。
【００２２】
かかる構成により、突部６３が腰部を単に圧迫するだけではなく、駆動筒６２の回転により、圧迫箇所が軸方向（縦方向）にも移動するので、腰部を効果的に揉み解すことができる。また左右の突部６３のスパイラルの向きが互いに逆方向なので、左右の施療子６０により、駆動筒６２の回転方向によって揉み上げや揉み下げの効果を得ることができる。また施療子６０は、縦方向に配置する他、図７のように横方向に配置することもできる。
【００２３】
また、背凭れ部３０や座部２０に、フットレスト４０に設けたエアバッグと同様、エアバッグを配置して、大腿部や背中をエアバッグによりマッサージすることもできるが、エアバッグによるマッサージは、ゆったりとした大きな動きのマッサージは可能であるが、素早い動きのマッサージはできない。そこで、図８のように、エアバッグ７０の下方にソレノイド７１を配置して、エアバッグ７０の大きな動きに、ソレノイド７１の振動に似た素早い動きを組み合わせ、変化に富んだマッサージを行なうこともできる。図１の破線は、座部２０にこのエアバッグ７０を４個配備した例を示す。
【００２４】
以上の如く本発明によれば、リラックスした状態で手指をマッサージできるので、マッサージ効果が向上し、且つ装置のコンパクト化が可能な椅子式マッサージ機を提供できる。
【図面の簡単な説明】
【００２５】
【図１】本発明の椅子式マッサージ機を斜め前方から見た斜視図である。
【図２】同マッサージ機の側面図で、アームレストの凹部に手指を挿入した状態を示す。
【図３】アームレストの凹部の拡大断面図で、エアバッグが収縮状態した状態を示す。
【図４】アームレストの凹部の拡大断面図で、エアバッグが膨張状態した状態を示す。
【図５】施療子の他の実施例を示す側面図である。
【図６】同施療子を用いて腰部をマッサージする様子を示す。
【図７】同施療子の異なる配置を示す。
【図８】マッサージ手段としてエアバッグとソレノイドを組み合わせた例を示す断面図である。
【符号の説明】
【００２６】
２０    座部
３０    背凭れ部
５０    アームレスト
５１    凹部
５３    エアバッグ（押圧手段）
【図１】
2008206631.tif 000003
【図２】
2008206631.tif 000004
【図３】
2008206631.tif 000005
【図４】
2008206631.tif 000006
【図５】
2008206631.tif 000007
【図６】
2008206631.tif 000008
【図７】
2008206631.tif 000009
【図８】
2008206631.tif 000010